(57)【要約】      （修正有）【課題】全体の厚さを薄くすると共に、組立性及びメンテナンス性を向上させる操作機構を提供する。【解決手段】操作機構及びそれを用いた電子装置が提供される。操作機構は、基台１４１と、回路基板１４２と、レバー１４２２と、スライドボタン１４４とを備える。基板１４１は、摺動部１４３を有する。回路基板１４２は、基台１４１に設けられている。レバー１４２２は、回路基板に設けられている。スライドボタン１４４は、摺動部１４３に移動可能に設けられており、レバー１４２２が連動させられるボタンである。【選択図】図２
0003189466.tif 000002
【実用新案登録請求の範囲】
【請求項１】
操作機構であって、
摺動部を有する基台と、
前記基台に設けられる回路基板と、
前記回路基板に設けられるレバーと、
前記摺動部に移動可能に設けられ、前記レバーが連動させられるスライドボタンと
を備えることを特徴とする操作機構。
【請求項２】
前記スライドボタンは、摺動溝を有しており、前記摺動溝を介して前記摺動部に対して移動することを特徴とする請求項１に記載の操作機構。
【請求項３】
前記基台に設けられる第１の弾性部材
をさらに備えることを特徴とする請求項１又は２に記載の操作機構。
【請求項４】
前記第１の弾性部材は、ハウジング穴を有しており、前記基台はスナップフィットと、突起柱とを有し、前記第１の弾性部材は前記スナップフィットに係合しており、前記ハウジング穴は前記突起柱に位置決めされることを特徴とする請求項３に記載の操作機構。
【請求項５】
第２の弾性部材
をさらに備え、
前記摺動部は収容溝を有し、前記スライドボタンは延伸柱を有し、前記第２の弾性部材は前記収容溝に設けられていることを特徴とする請求項１又は２に記載の操作機構。
【請求項６】
２つの第２の弾性部材
をさらに備え、
前記摺動部は収容溝を有し、前記スライドボタンは延伸柱を有し、前記２つの第２の弾性部材は前記収容溝の対向する２つの側壁にそれぞれ設けられ、前記延伸柱は前記２つの第２の弾性部材の間に設けられていることを特徴とする請求項１又は２に記載の操作機構。
【請求項７】
前記スライドボタンは凹溝を有し、前記レバーは前記凹溝内に設けられていることを特徴とする請求項１から６のいずれかに記載の操作機構。
【請求項８】
貫通穴を有する位置規制カバー
をさらに備え、
前記スライドボタンは前記貫通穴を貫通するように設けられており、前記スライドボタンは前記位置規制カバーの第１の位置規制内側壁と第２の位置規制内側壁との間を移動可能に設けられていることを特徴とする請求項１から７のいずれかに記載の操作機構。
【請求項９】
請求項１から８のいずれかに記載の操作機構を備えることを特徴とする電子装置。
【考案の詳細な説明】
【技術分野】
【０００１】
本考案は、操作機構及びそれを用いた電子装置に関し、特に、移動により関連の連結装置が連動させられる操作機構及びそれを用いた電子装置に関する。
【背景技術】
【０００２】
従来の操作機構は、基台と、回路基板と、回転軸と、弾性部材と、レバーと、トグルボタンとを備えている。基台は開口を有し、トグルボタン、回路基板、回転軸及び弾性部材はすべて開口内に設けられている。なお、指での操作のために、当該開口においてトグルボタンはその操作部を露出させている。回転軸は、トグルボタンと基台とを貫通しており、それにより、トグルボタンが基台に対して回動可能である。弾性部材は、トグルボタンと基台とに接続され、トグルボタンが相対的に回動すると、弾性部材がトグルボタンに弾性力を付与する。弾性部材、回転軸及び回路基板は、すべてトグルボタンの直下に設けられている。レバーは回路基板に設けられ、トグルボタンはＹ字溝を有しており、トグルボタンが基台に対して回動すると、このＹ字溝の溝側壁に回路基板のレバーが連動させられ、それにより、回路基板が対応する機能を実行する。
【０００３】
しかしながら、回路基板、弾性部材、回転軸及びトグルボタンは、基台の上で垂直に積み重ねられ、又は、組立部品が多いことから、より広いスペースが必要となる。したがって、組立及びメンテナンスには非常に手間がかかる。
【考案の概要】
【考案が解決しようとする課題】
【０００４】
本考案は、操作機構及びそれを用いた電子装置に関し、本考案に係る操作機構の部材の間の実装設計及び構造設計により、操作機構の全体の厚さを薄くすると共に、操作機構の組立性及びメンテナンス性を向上することができる。
【課題を解決するための手段】
【０００５】
本考案の一実施例によれば、１種の操作機構が提供される。操作機構は、基台と、回路基板と、レバーと、スライドボタンとを備える。基台は、摺動部を有する。回路基板は、基台に設けられている。レバーは、回路基板に設けられている。スライドボタンは、摺動部に移動可能に設けられており、レバーが連動させられるボタンである。
【０００６】
本考案の別の実施例によれば、１種の電子装置が提供される。電子装置は、操作機構を備える。操作機構は、基台と、回路基板と、レバーと、スライドボタンとを備える。基台は、摺動部を有する。回路基板は、基台に設けられている。レバーは、回路基板上に設けられている。スライドボタンは、摺動部に移動可能に設けられており、レバーが連動させられるボタンである。
【０００７】
前述した本考案の態様及び他の態様をより一層明確にすべく、以下に、実施例を挙げ、本添付図面を参照しながら、本考案をさらに詳細に説明する。
【図面の簡単な説明】
【０００８】
【図１】本考案の一実施例に係る電子装置の外観図である。
【図２】図１における操作機構の分解図である。
【図３】図２における基台と回路基板とを組み合わせた状態を示す図である。
【図４】図３のスライドボタンの外観図である。
【図５】図３のスライドボタンが摺動部に配置された状態を示す外観図である。
【図６】図５の上面図である。
【図７】７−７’の方向に沿う図６の断面図である。
【図８】図２のスライドボタンと位置規制カバーとを組立てた後の底面図である。
【図９】本考案の別の実施例に係る操作機構の概略図である。
【図１０】図９のスライドボタンを基台に組立てた後の局部断面図である。
【考案を実施するための形態】
【０００９】
図１を参照されたい。図１は、本考案の一実施例に係る電子装置の外観図である。電子装置１０は、画像取得機能を有するシステムであっても良く、これらに限定されないが、デジタルカメラ、デジタルビデオカメラ、携帯電話、携帯情報端末（Ｐｅｒｓｏｎａｌ  Ｄｉｇｉｔａｌ  Ａｓｓｉｓｔａｎｔ，  ＰＤＡ）又はノートパソコンを含み、或いはさまざまな形態で存在する画像取得装置である。
【００１０】
電子装置１０は、装置本体１２と、装置本体１２に設けられている操作機構１４とを備える。一実施例において、操作機構１４はレンズの映像のズームを制御することができるが、電子装置１０の他の機能を制御するのにも用いられ、本考案を限定するものではない。
【００１１】
続いて、図２を参照されたい。図２は、図１における操作機構の分解図である。操作機構１４は、基台１４１と、回路基板１４２と、レバー１４２２と、スライドボタン１４４と、第１の弾性部材１４５と、位置規制カバー１４６とを備える。本実施例において、基台１４１は装置本体１２の一部であるが、別の実施例では、基台１４１及び装置本体１２はそれぞれ独立した部材であり、かつ、基台１４１は他の部材と組み合わされて操作機構１４を形成し、その後、それと一体に装置本体１２に組み付けられる。
【００１２】
図３は、図２における基台と回路基板とを組み合わせた状態を示す図である。図２及び図３を合わせて参照されたい。回路基板１４２は基台１４１に設けられている。本実施例において、回路基板１４２は基台１４１の表面１４１ｕに設けられている。一実施例において、回路基板１４２は基台１４１から露出している。それにより、回路基板１４２と基台１４１とを容易に組み立て、回路基板１４２と基台１４１との組立性を向上させることができる。
【００１３】
一実施例において、基台１４１は２つの位置決め柱１４１１を有し、回路基板１４２は２つの位置決め穴１４２１を有する。回路基板１４２は、２つの位置決め穴１４２１を介して基台１４１の２つの位置決め柱１４１１に位置決めされている。また、別の実施例において、回路基板１４２はねじ１４７を介して基台１４１に固定されても良い。なお、回路基板１４２は、位置決め穴１４２１を介して基台１４１の位置決め柱１４１１に係合され、さらに基台１４１に固定されても良い。このようにすると、ねじ１４７の使用を省略することができる。
【００１４】
さらに言うと、基台１４１はさらに摺動部１４３を有している。摺動部１４３は、基台１４１の表面１４１ｕに設けられており、レバー１４２２が連動させられるスライドボタン１４４が摺動部１４３に移動可能に設けられている。一実施例において、摺動部１４３は、基台１４１から突出して、さらに基台１４１から露出するように設けることができる。それにより、スライドボタン１４４と摺動部１４３とが容易に組み立てられる。
【００１５】
摺動部１４３は、対向する第１の側面１４３ｓ１と第２の側面１４３ｓ２とを有し、スライドボタン１４４は、摺動溝１４４１を有している。スライドボタン１４４は摺動部１４３上に配置され、かつ摺動溝１４４１を介して摺動部１４３上を移動する。具体的に述べると、摺動溝１４４１は、対向する第１の溝側壁１４４ｗ１と第２の溝側壁１４４ｗ２とを有している。摺動溝１４４１の第１の溝側壁１４４ｗ１及び第２の溝側壁１４４ｗ２がそれぞれ摺動部１４３の第１の側面１４３ｓ１及び第２の側面１４３ｓ２に沿って移動し、それにより、スライドボタン１４４を摺動部１４３に対して移動させる。
【００１６】
実装において、第１の溝側壁１４４ｗ１と第２の溝側壁１４４ｗ２との間隔は、実質的には、第１の側面１４３ｓ１と第２の側面１４３ｓ２との間隔に等しいか、又はこれよりも少し大きい。それにより、スライドボタン１４４と摺動部１４３との間の隙間が大きすぎるという事態を防止することができ、さらに、スライドボタン１４４が摺動部１４３を移動するときのがたつきが大きすぎるという事態を防止することができる。
【００１７】
一実施例において、回路基板１４２、スライドボタン１４４及び第１の弾性部材１４５は、基台１４１から露出していても良い。また、回路基板１４２、スライドボタン１４４及び第１の弾性部材１４５が基台１４１の表面１４１ｕの延伸方向に沿って基台１４１上に配置されると、操作機構１４の全体の厚さを薄くすることができる。
【００１８】
図４は、図３のスライドボタンの外観図であり、図５は、図３のスライドボタンが摺動部上に配置された状態を示す外観図である。図４及び図５を合わせて参照されたい。スライドボタン１４４は、摺動部１４３上に配置されると、摺動溝１４４１を介して第１の方向Ｄ１又は第２の方向Ｄ２に沿って摺動部１４３上を移動することができる。また、摺動部１４３は摺動面１４３ｕを有し、スライドボタン１４４は、摺動部１４３の摺動面１４３ｕの輪郭に沿って移動する。
【００１９】
一実施例において、摺動面１４３ｕの輪郭は曲面であるので、第１の方向Ｄ１及び第２の方向Ｄ２は曲面輪郭に対応した曲線方向である。この場合、スライドボタン１４４の形状は摺動面１４３ｕの形状に対応して曲線形状としても良い。
【００２０】
別の実施例において、摺動面１４３ｕが平面の場合には、第１の方向Ｄ１及び第２の方向Ｄ２は直線方向である。この場合、スライドボタン１４４の形状は摺動面１４３ｕの形状に対応して平面としても良い。もちろん、摺動面１４３ｕは他の形状の面であっても良く、また、スライドボタン１４４が摺動面１４３ｕの輪郭に沿って移動するように、スライドボタン１４４は摺動面１４３ｕの輪郭に対応して同一又は類似の形状に形成しても良い。
【００２１】
続いて、図６を参照されたい。図６は、図５の上面図である。レバー１４２２は回路基板１４２に設けられ、かつ基台１４１から露出することができる。なお、レバー１４２２は、ゴム又はプラスチックのような可撓性材料から形成することができる。
【００２２】
レバー１４２２は、スライドボタン１４４を介して摺動部１４３上を移動することができる。一実施例において、レバー１４２２は第１の方向Ｄ１又は第２の方向Ｄ２に沿って移動し、さらに、第１の機能モード又は第２の機能モードをそれぞれ実行することができる。なお、第１の機能モードがレンズの映像をズームイン（Ｚｏｏｍ  ｉｎ）する機能であり、第２の機能モードがレンズの映像をズームアウト（Ｚｏｏｍ  ｏｕｔ）する機能であっても良いが、本考案はこれに限定されない。
【００２３】
図６に示すように、スライドボタン１４４は凹溝１４４２を有し、レバー１４２２が凹溝１４４２内に設けられている。スライドボタン１４４が第１の方向Ｄ１に向かって移動すると、レバー１４２２が凹溝１４４２の側壁に連動して第１の方向Ｄ１に向かって移動し、第１の機能モードを実行する。スライドボタン１４４が第２の方向Ｄ２に向かって移動すると、レバー１４２２が凹溝１４４２の側壁に連動して第２の方向Ｄ２に向かって移動し、さらに第２の機能モードを実行する。一実施例において、凹溝１４４２はＶ字状とする。別の実施例において、凹溝１４４２は円形の一部、楕円形の一部又は多角形としても良い。
【００２４】
図６に示すように、スライドボタン１４４は、対向する第１の側面１４４ｓ１と第２の側面１４４ｓ２とを有し、レバー１４２２はスライドボタン１４４の第１の側面１４４ｓ１側に組み付けられている。第１の弾性部材１４５はスライドボタン１４４に接続され、それにより、スライドボタン１４４が往復運動して初期位置から離間した後、第１の弾性部材１４５がスライドボタン１４４を初期位置に引き戻すことができる。第１の弾性部材１４５は基台１４１に設けられ、かつスライドボタン１４４の第２の側面１４４ｓ２側に組み付けられている。具体的に述べると、第１の弾性部材１４５はスライドボタン１４４の第２の側面１４４ｓ２を通ってスライドボタン１４４内まで延伸する。スライドボタン１４４が移動して変位した後、第１の弾性部材１４５は変形して弾性位置エネルギーを生成することができる。このようにして、スライドボタン１４４を放すと、第１の弾性部材１４５は弾性位置エネルギーを放出しスライドボタン１４４を引っ張って初期位置に復帰させる。本実施例において、スライドボタン１４４が初期位置に位置する場合、レバー１４２２は動かされていない状態にある。
【００２５】
一つの実施例において、第１の弾性部材１４５は、第１のロッド１４５１と、第２のロッド１４５２と、リンクロッド１４５３とを備える。本実施例において、リンクロッド１４５３が第１のロッド１４５１及び第２のロッド１４５２に接続され、それにより、第１のロッド１４５１と、第２のロッド１４５２と、リンクロッド１４５３とはコの字形ロッドを形成している。スライドボタン１４４はさらに収容溝１４４３を有し、第１の弾性部材１４５の一部は収容溝１４４３内に位置する。例えば、第１の弾性部材１４５の第１のロッド１４５１は収容溝１４４３内に位置し、収容溝１４４３の第１の内側壁１４４ｗ３と直接接触しており、第１の弾性部材１４５の第２のロッド１４５２は収容溝１４４３内に位置し、収容溝１４４３の第２の内側壁１４４ｗ４と直接接触している。よって、スライドボタン１４４が第１の方向Ｄ１に沿って移動すると、第２のロッド１４５２が第２の内側壁１４４ｗ４によって動かされて変形し弾性位置エネルギーを生成する。スライドボタン１４４が第２の方向Ｄ２に沿って移動すると、第１のロッド１４５１が第１の内側壁１４４ｗ３によって動かされて変形し弾性位置エネルギーを生成する。また、外力が除去された後、スライドボタン１４４が放され、それにより、第１の弾性部材１４５が弾性位置エネルギーを放出し、ひいてはスライドボタン１４４を初期位置に復帰させる。
【００２６】
図６に示すように、第１の弾性部材１４５は、第１のハウジング穴１４５４と第２のハウジング穴１４５５とからなる１組のハウジング穴を有する。基台１４１は、第１の突起柱１４１２と第２の突起柱１４１３とからなる１組の突起柱を有する。第１の弾性部材１４５は、１組のハウジング穴を介して基台１４１の１組の突起柱に位置決めされる。具体的には、第１の弾性部材１４５は、リング状の第１のハウジング穴１４５４と第２のハウジング穴１４５５とを有し、第１のハウジング穴１４５４は第１のロッド１４５１とリンクロッド１４５３との間に位置し、第２のハウジング穴１４５５は第２のロッド１４５２とリンクロッド１４５３との間に位置する。第１の弾性部材１４５の形成方法について説明すると、曲げ加工法を用いることができる。すなわち、弾性ロッドを巻回して第１のハウジング穴１４５４と第２のハウジング穴１４５５とを形成し、その後、実質的に同一の方向に向かってこの弾性ロッドを曲げて第１のロッド１４５１と第２のロッド１４５２とを形成し、それにより、第１の弾性部材１４５が形成される。
【００２７】
また、基台１４１はさらに第１の突起柱１４１２と第２の突起柱１４１３とを有し、第１の弾性部材１４５は、第１のハウジング穴１４５４と第２のハウジング穴１４５５とを介して基台１４１の第１の突起柱１４１２と第２の突起柱１４１３とをそれぞれ囲むように設けられ、第１の弾性部材１４５が基台１４１から脱離するのを防止することができる。
【００２８】
図７を参照されたい。図７は、７−７’の方向に沿う図６の断面図である。基台１４１は、少なくとも１つのスナップフィット（snap-fit）１４１４を有し、第１の弾性部材１４５はスナップフィット１４１４に係合する。一つの実施例において、第１の弾性部材１４５は、そのリンクロッド１４５３を介してスナップフィット１４１４に係合している。また、スナップフィット１４１４は縦柱１４１５と横柱１４１６とを有し、縦柱１４１５は基台１４１の表面１４１ｕから突出しており、横柱１４１６は縦柱１４１５に対して横方向に接続されて、スナップフィット１４１４が形成される。リンクロッド１４５３は縦柱１４１５と横柱１４１６との間の夾角空間内に係合する。横柱１４１６はガイド斜面１４１６ｓを有しても良く、ガイド斜面１４１６ｓは、横柱１４１６の上面１４１６ｕから横柱１４１６の下面１４１６ｂに向かって外側に傾斜している。別の実施例において、第１の弾性部材１４５が基台１４１に取り付けられる過程では、リンクロッド１４５３がガイド斜面１４１６ｓにガイドされて縦柱１４１５と横柱１４１６の間に容易に係合される。
【００２９】
図８を参照されたい。図８は、図２のスライドボタンと位置規制カバーとを組立てた後の底面図である。位置規制カバー１４６は、対向する第１の位置規制内側壁１４６ｗ１と第２の位置規制内側壁１４６ｗ２とを有する。一実施例において、スライドボタン１４４は第１の位置規制内側壁１４６ｗ１と第２の位置規制内側壁１４６ｗ２とによって規制されて第１の位置規制内側壁１４６ｗ１と第２の位置規制内側壁１４６ｗ２との間のみを移動できるので、スライドボタン１４４の変位が大きすぎて凹溝１４４２がレバー１４２２から脱離するという事態を防止することができる。また、位置規制カバー１４６はさらに貫通穴１４６１を有し、スライドボタン１４４が貫通穴１４６１を貫通するように設けられており、位置規制カバー１４６の外部に露出することにより、スライドボタン１４４を容易に操作することができる。
【００３０】
図９を参照されたい。図９は、本考案による別の実施例の操作機構の概略図である。操作機構２４は、基台２４１と、回路基板２４２と、レバー２４２２と、スライドボタン２４４と、２つの第２の弾性部材２４５と、位置規制カバー２４６とを備える。本実施例において、基台２４１と、回路基板２４２と、レバー２４２２と、スライドボタン２４４と、位置規制カバー２４６とを組み立てる態様は、前述した実施例に記載される基台１４１と、回路基板１４２と、レバー１４２２と、スライドボタン１４４と、位置規制カバー１４６とを組み立てる態様と同一であるので、ここでは繰り返し説明しないこととする。
【００３１】
前述した実施例に比べると、本実施の２つの第２の弾性部材２４５は基台２４１の摺動部２４３において組み立てられている。図９に示すように、摺動部２４３は収容溝２４３１を有する。２つの第２の弾性部材２４５は、摺動部２４３の収容溝２４３１の対向する２つの側壁２４３１ｗ１及び２４３１ｗ２のそれぞれにおいて設けられている。
【００３２】
図１０を参照されたい。図１０は、図９のスライドボタンを基台に組立てた後の局部断面図である。スライドボタン２４４は、２つの第２の弾性部材２４５の間に設けられると共に２つの第２の弾性部材２４５のそれぞれと接触する延伸柱２４４１を有する。スライドボタン２４４が第１の方向Ｄ１に沿って移動すると、図１０の左側の第２の弾性部材２４５が延伸柱２４４１に連動して変形し弾性位置エネルギーを生成する。スライドボタン２４４が第２の方向Ｄ２に沿って移動すると、図１０の右側の第２の弾性部材２４５が延伸柱２４４１に連動して変形し弾性位置エネルギーを生成する。このようにして、スライドボタン２４４を放すと、第２の弾性部材２４５は弾性位置エネルギーを放出し、さらにスライドボタン２４４を引っ張って初期位置に復帰させることができる。
【００３３】
本実施例において、第２の弾性部材２４５の両端部のうちの一端が固定されているのが良く、もう一端が自由端であっても良い。例えば、第２の弾性部材２４５の第１の端部２４５６を摺動部２４３に固定すれば、その第２の端部２４５７は延伸柱２４４１に固定してもしなくても良い。又は、第２の弾性部材２４５の第２の端部２４５７を延伸柱２４４１に固定すれば、その第１の端部２４５６は摺動部２４３に固定してもしなくても良い。
【００３４】
別の実施例において、２つの第２の弾性部材２４５の１つを省略しても良く、例えば、図１０の左側の第２の弾性部材２４５のみが残されても良い。このようにした場合には、図１０の左側の第２の弾性部材２４５の両端部は延伸柱２４４１及び収容溝２４３１の側壁２４３１ｗ１にそれぞれ固定される。もちろん、図１０の右側の第２の弾性部材２４５のみが残されても良く、その組立態様は図１０の左側の第２の弾性部材２４５と同様である。
【００３５】
以上をまとめると、本考案は上記実施例に開示されているが、それは本考案を限定するものではない。本考案の属する技術分野における通常の知識を有する当業者は、本考案の趣旨及び範囲から逸脱しない限り、種々の変更及び修正を行うことが可能である。したがって、本考案の保護範囲は、後の請求の範囲で指定した内容を基準とする。
【符号の説明】
【００３６】
１０：電子装置
１２：装置本体
１４、２４：操作機構
１４１、２４１：基台
１４１ｕ：外表面
１４１１：位置決め柱
１４１２：第１の突起柱
１４１３：第２の突起柱
１４１４：スナップフィット
１４１５：縦柱
１４１６：横柱
１４１６ｂ：下面
１４１６ｓ：ガイド斜面
１４１６ｕ：上面
１４２、２４２：回路基板
１４２１：位置決め穴
１４２２、２４２２：レバー
１４３、２４３：摺動部
１４３ｓ１：第一の側面
１４３ｓ２：第二の側面
１４３ｕ：摺動面
１４４、２４４：スライドボタン
１４４ｗ１：第１の溝側壁
１４４ｗ２：第２の溝側壁
１４４ｗ３：第１の内側壁
１４４ｗ４：第２の内側壁
１４４１：摺動溝
１４４２：凹溝
１４４３：収容溝
１４４ｓ１：第１の側面
１４４ｓ２：第２の側面
１４５：第１の弾性部材
１４５１：第１のロッド
１４５２：第２のロッド
１４５３：リンクロッド
１４５４：第１のハウジング穴
１４５５：第２のハウジング穴
１４６、２４６：位置規制カバー
１４６１：貫通穴
１４６ｗ１：第１の位置規制内側壁
１４６ｗ２：第２の位置規制内側壁
１４７：ねじ
２４３１ｗ１、２４３１ｗ２：側壁
２４３１：収容溝
２４４１：延伸柱
２４５：第２の弾性部材
２４５６：第一の端部
２４５７：第二の端部
Ｄ１：第一の方向
Ｄ２：第二の方向
【図１】
0003189466.tif 000003
【図２】
0003189466.tif 000004
【図３】
0003189466.tif 000005
【図４】
0003189466.tif 000006
【図５】
0003189466.tif 000007
【図６】
0003189466.tif 000008
【図７】
0003189466.tif 000009
【図８】
0003189466.tif 000010
【図９】
0003189466.tif 000011
【図１０】
0003189466.tif 000012